(57)【要約】【課題】盤面基板に穿孔した貫通孔にセルシートを覆うような構造の遊技盤を製造するとともに、このような遊技盤の製造時に生じ得る不都合を解消した遊技盤の製造方法を提供する。【解決手段】本パチンコ機１の遊技盤３の製造方法において、盤面基板５５ｂに貫通孔５０ａ等を形成する工程（ステップＳ１）と、盤面基板５５ｂにセルシート５５ａを貼付する工程（ステップＳ２）と、盤面基板５５ｂにセルシート５５ａを接着した遊技盤３に所定のルーター加工を施す工程（ステップＳ３）と、を備える。そして、ステップＳ２及びステップＳ３の各工程の実施時に必要となる情報を記したシール６１，６２を盤面基板５５ｂ及びセルシート５５ａにそれぞれ、各工程に先立って予め設けておき、ステップＳ２及びステップＳ３の各工程の実施時に、該ステップＳ２及びステップＳ３の各工程に要する情報をそれぞれ読み取り可能とする。【選択図】図７
2008220877.tif 000002
【特許請求の範囲】
【請求項１】
盤面基板上にセルシートを接着してなる、弾球遊技機用の遊技盤の製造方法において、
前記盤面基板に貫通孔を形成する第１工程と、
前記貫通孔が形成された前記盤面基板の前面における少なくとも前記貫通孔に対応する位置に、光透過性を有するセルシートを貼付する第２工程と、
前記セルシートが貼付された前記盤面基板に所定のルーター加工を施す第３工程と、を備え、
前記第２及び前記第３工程の各実施時に必要となる情報を記した記録媒体を前記盤面基板及び前記セルシートにそれぞれ、各工程に先立って予め設けておき、前記第２及び前記第３工程の各実施時に、前記第２及び前記第３工程に要する前記情報をそれぞれ読み取り可能にしてなる、
ことを特徴とする遊技盤の製造方法。
【請求項２】
前記貫通孔は、前記盤面基板の後面側に配置される発光手段からの光を前面側に通過させてなる、
請求項１に記載の遊技盤の製造方法。
【請求項３】
前記記録媒体は、その前面に前記情報が二次元コードで印刷されたシート状のシールである、
請求項１又は２に記載の遊技盤の製造方法。
【請求項４】
前記盤面基板は、その前面に、前記シールの前面と該盤面基板の前面とが面一になるように貼付し得る凹部を有してなる、
請求項３に記載の遊技盤の製造方法。
【請求項５】
前記記録媒体は、前記第２及び前記第３工程の各実施時に、該第２及び該第３工程を施すそれぞれの製造機械にて読み取りし得る情報が記されてなる、
請求項１ないし４に記載の遊技盤の製造方法。
【請求項６】
前記記録媒体は、前記第２及び前記第３工程の各実施時に、それぞれのオペレータが読み取り得る情報が記されてなる、
請求項１ないし５に記載の遊技盤の製造方法。
【発明の詳細な説明】
【技術分野】
【０００１】
本発明は、パチンコ機等の遊技機に係り、詳しくは、遊技機に備える遊技盤の製造方法に関する。
【背景技術】
【０００２】
一般に、遊技機、例えばパチンコ機における遊技盤は、該遊技盤の基材となる盤面基板の表面にセルシートを貼付し、該盤面基板に障害釘や役物等の各種部材を配設するための穴（又は孔）をルーター加工により形成し、これら各穴（又は孔）に上記した各種部材を取り付けて形成するといった処理を経て製造される。
【０００３】
このような遊技盤の製造方法の中には、例えば、盤面基板の一方の面に紫外線硬化性樹脂を塗布した紙を貼り付け、他方の面にセルを貼り付けて必要な寸法に切断し、該盤面基板に対してルーター加工を施して図柄表示装置用の穴等を穿設するように進めるものが提案されている（特許文献１参照）。
【０００４】
【特許文献１】特開２００５−１６０８６３号公報
【発明の開示】
【発明が解決しようとする課題】
【０００５】
しかし、特許文献１に記載されたような一般的な製造方法においては、盤面基板にセルシートを貼付した後でルーター加工を施すので、例えば、盤面基板に貼付したセルシートを通して遊技盤前面側に向けて発光させるような発光構造、つまり盤面基板に貫通孔を穿孔して該貫通孔をセルシートが覆うような構造の遊技盤を形成する場合には、盤面基板にセルシートが接着された状態で加工する従来の製造方法では、盤面基板だけを切削してセルシートのみを盤面基板前面に残すことは非常に困難なものとなる。
【０００６】
そこで本発明は、盤面基板に穿孔した貫通孔にセルシートを覆うような構造の遊技盤を製造するとともに、このような遊技盤の製造時に生じ得る不都合を解消し、もって上述した課題を解決した遊技盤の製造方法を提供することを目的とするものである。
【課題を解決するための手段】
【０００７】
請求項１に係る本発明は（例えば図１ないし図７参照）、盤面基板（５５ｂ）上にセルシート（５５ａ）を接着してなる、弾球遊技機（１）用の遊技盤（３）の製造方法において、
前記盤面基板（５５ｂ）に貫通孔（５０ａ，５０ｂ，５０ｃ，５０ｄ）を形成する第１工程（Ｓ１）と、
前記貫通孔（例えば５０ａ）が形成された前記盤面基板（５５ｂ）の前面（５５ｂ´）における少なくとも前記貫通孔（例えば５０ａ）に対応する位置に、光透過性を有するセルシート（５５ａ）を貼付する第２工程（Ｓ２）と、
前記セルシート（５５ａ）が貼付された前記盤面基板（５５ｂ）に所定のルーター加工を施す第３工程（Ｓ３）と、を備え、
前記第２及び前記第３工程（Ｓ２，Ｓ３）の各実施時に必要となる情報を記した記録媒体（６１，６２）を前記盤面基板（５５ｂ）及び前記セルシート（５５ａ）にそれぞれ、各工程に先立って予め設けておき、前記第２及び前記第３工程（Ｓ２，Ｓ３）の各実施時に、前記第２及び前記第３工程（Ｓ２，Ｓ３）に要する前記情報をそれぞれ読み取り可能にしてなる、
ことを特徴とする遊技盤（３）の製造方法にある。
【０００８】
請求項２に係る本発明は（例えば図１，２及び図５参照）、前記貫通孔（５０ａ，５０ｂ，５０ｃ，５０ｄ）が、前記盤面基板（５５ｂ）の後面側に配置される発光手段（５６）からの光を前面側に通過させてなる、
請求項１記載の遊技盤（３）の製造方法にある。
【０００９】
請求項３に係る本発明は（例えば図３及び図４参照）、前記記録媒体が、その前面に前記情報が二次元コードで印刷されたシート状のシール（６１，６２）である、
請求項１又は２に記載の遊技盤（３）の製造方法にある。
【００１０】
請求項４に係る本発明は（例えば図３，４及び図６参照）、前記盤面基板（５５ｂ）が、その前面（５５ｂ´）に、前記シール（６１）の前面（６１´）と該盤面基板（５５ｂ）の前面（５５ｂ´）とが面一になるように貼付し得る凹部（６５）を有してなる、
請求項３に記載の遊技盤（３）の製造方法にある。
【００１１】
請求項５に係る本発明は（例えば図３，４及び図７参照）、前記記録媒体（６１，６２）が、前記第２及び前記第３工程（Ｓ２，Ｓ３）の各実施時に、該第２及び該第３工程（Ｓ２，Ｓ３）を施すそれぞれの製造機械にて読み取りし得る情報が記されてなる、
請求項１ないし４に記載の遊技盤（３）の製造方法にある。
【００１２】
請求項６に係る本発明は（例えば図３，４及び図７参照）、前記記録媒体（６１，６２）が、前記第２及び前記第３工程（Ｓ２，Ｓ３）の各実施時に、それぞれのオペレータが読み取り得る情報が記されてなる、
請求項１ないし５に記載の遊技盤（３）の製造方法にある。
【００１３】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１４】
請求項１に係る本発明によると、盤面基板に貫通孔を形成する第１工程と、貫通孔に対応する位置に光透過性を有するセルシートを貼付する第２工程と、所定のルーター加工を施す第３工程と、を備え、第２及び第３工程の各実施時に必要となる情報を記した記録媒体を盤面基板及びセルシートにそれぞれ、各工程に先立って予め設けておき、第２及び第３工程の各実施時に、第２及び第３工程に要する情報をそれぞれ読み取り可能にしてなる。これにより、従来の製造方法では為しえなかった、盤面基板に貫通孔を穿孔して該貫通孔をセルシートで覆うような構造の遊技盤を容易に形成することができる。
【００１５】
また、盤面基板に対し、第２工程に先立って、該工程に要する情報を記した記録媒体を予め設けておくので、第２工程で要する情報を盤面基板から読み取ることができる。また、セルシートに対し、第３工程に先立って、該工程に要する情報を記した記録媒体を予め設けておくので、盤面基板に設けられた記録媒体が遮蔽されても、第３工程で要する情報をセルシートから読み取ることができる。これにより、第２及び第３工程で要する情報が、該第２及び該第３工程の各実施時にそれぞれ読み取り可能となり、前述したような構造の遊技盤の製造を滞りなく実施することができる。
【００１６】
請求項２に係る本発明によると、貫通孔が、盤面基板の後面側に配置される発光手段からの光を前面側に通過させてなるので、貫通孔の内部や盤面基板の背面に配置した発光手段からの光を、盤面基板に形成した貫通孔を通過させてセルシートまで導き、光透過性を有した該セルシートから遊技盤前面に向けて光を発するような発光装飾をすることができる。
【００１７】
請求項３に係る本発明によると、記録媒体が、その前面に情報が二次元コードで印刷されたシート状のシールであるので、シールという比較的小さなスペースに二次元コードによる多くの情報量をもたせることができる。これにより、遊技盤周囲の空間を節約しつつ、遊技盤の製造作業を効率化することができる。
【００１８】
請求項４に係る本発明によると、盤面基板が、その前面に、シールの前面と該盤面基板の前面とが面一になるように貼付し得る凹部を有してなる。これにより、盤面基板上にセルシートを接着した際にあっても、盤面基板に貼付したシールの厚みでセルシートが盛り上がることを防ぎ、遊技盤表面を滑らかに形成することができる。仮に、シールにより生じたセルシートの盛り上がりが、遊技球を流下させる遊技領域内に位置した場合には、遊技領域に打ち出された遊技球の流下態様が微妙に変化するという不都合が生じる。
【００１９】
請求項５に係る本発明によると、記録媒体が、第２及び第３工程の各実施時に、該第２及び該第３工程を施すそれぞれの製造機械にて読み取りし得る情報が記されてなるので、上記各工程にて容易かつ確実に製造機械を作動させることができる。
【００２０】
請求項６に係る本発明によると、記録媒体が、第２及び第３工程の各実施時に、それぞれのオペレータが読み取り得る情報が記されてなるので、オペレータが容易かつ確実に上記各工程に係る必要な情報を認識することができる。
【発明を実施するための最良の形態】
【００２１】
以下、本発明に係る遊技機の実施形態として、遊技場等に設置されるパチンコ機を図面に沿って説明する。なお、後述する各実施の形態では、本発明の遊技機をいわゆる第１種特別電動役物を使用したパチンコ機として述べるが、本発明はこれに限らず、いわゆる第２種若しくは第３種特別電動役物等を使用したパチンコ機、又は他の種別のパチンコ機であっても適用可能であることは勿論である。
【００２２】
図１は、本発明に係る実施の形態におけるパチンコ機の外部構造を示す正面図である。本パチンコ機（弾球遊技機）１は、同図に示すように、発射ハンドル２の操作による不図示の発射装置の作動で遊技球（いわゆるパチンコ玉）を遊技盤３前面の遊技領域３ａに向かって打ち出しつつ遊技を行うもので、いわゆる確率変動等の大当たりが発生した状態でアタッカー５に入球した遊技球に対応する数の遊技球を払い出すように構成されている。
【００２３】
上記確率変動当たり（「確変当たり」とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００２４】
本パチンコ機１は、開口を有する枠体状の筐体６と、遊技盤３を支持した形で筐体６に開閉可能に支持された前扉７とを有しており、前扉７の前面には、透明ガラス９を有するガラス枠１０が、前扉７の遊技盤保持枠（図示せず）に対して開閉可能に取り付けられている。透明ガラス９の奥側には、遊技盤３が配設されている。前扉７における遊技盤３の左右には演出用照明装置１１が配設されており、前扉７における上部左右には、スピーカー（図示せず）を有する放音装置１２がそれぞれ配設されている。
【００２５】
また、ガラス枠１０における中央部右方には、前扉７を筐体６側に施錠又は解放し、或いは、ガラス枠１０を前扉７側に施錠又は解放するための施錠装置１３が配設されている。また、図１中の符号１４は、不図示の発射装置によって打ち出された遊技球を遊技盤３側に案内するガイドレールを示している。また、本パチンコ機１には、遊技中に遊技領域３ａにて入賞することなく落下した遊技球をパチンコ機背面側に導く不図示のアウト口及びアウト球通路が設けられている。
【００２６】
そして、前扉７における遊技盤３の下方には皿ユニット１６が設けられており、皿ユニット１６における右上部には、賞球及び貸球を含む遊技球が供給される球供給口１７が設けられ、皿ユニット１６における右上部壁面には、球貸ボタン１９ａ及びプリペイドカード返却ボタン１９ｂが設けられている。皿ユニット１６には、該皿ユニット１６上の遊技球を、皿ユニット１６下部の球排出口（図示せず）を通して下方に排出するための第１球抜きボタン２０ａと、皿ユニット１６上の遊技球を球供給口１７付近から上記球排出口を通して下方に排出するための第２球抜きボタン２０ｂとが設けられている。更に、皿ユニット１６の左下方には灰皿２１及び傾斜部１５が配設され、該傾斜部１５には遊技者参加ボタン（いわゆるチャンスボタン）２２が配設されている。
【００２７】
また、遊技領域３ａの中央部分には、遊技球ステージＳを有するセンター飾り２３が配設されている。センター飾り２３の左右下方には、それぞれ大当たり抽選に寄与しない一般の入賞が行われる入賞口２５，２６が配設されており、センター飾り２３の直下方には、始動チャッカー２７と、アタッカー５とが順次配設されている。
【００２８】
始動チャッカー２７は、大当たり抽選実行の契機となり得る入賞が行われるものであり、開放位置と閉止位置とに開閉動作するように不図示のソレノイドによって作動させられる。該始動チャッカー２７の直上方には、いわゆる命釘としての一対の障害釘３０が打ち込まれている。
【００２９】
アタッカー５は、大当たり発生時に開放され、遊技領域３ａに打ち出されて転動落下する遊技球を入賞させるものであり、大当たり発生中、例えば、１回の開放で１０個の入球を完了した時点で閉じ、当該開閉動作を１５回繰り返すように構成される。なお、これらの入球数並びに開閉動作の回数は、１０個や１５回に限定されることはなく、必要に応じて適宜設定され得るものである。
【００３０】
遊技領域３ａには、センター飾り２３の左右上方に風車３１が配設されており、遊技球ステージＳの下方における始動チャッカー２７の左側に、普通図柄作動ゲート３２が配設されている。この普通図柄作動ゲート３２は、始動チャッカー２７を開閉動作させるための抽選の契機となる遊技球通過が行われる役物である。
【００３１】
遊技領域３ａ上部には、遊技盤３から遊技中の遊技者に向けて光を発するセル発光装置６２ａが配設されている。なお、図１には、セル発光装置６２ａの開口５１ａのみを図示し、他のセル発光装置６２ｂ，〜，６２ｄ及びそれらの開口５１ｂ，〜，５１ｄの図示は省略する。
【００３２】
遊技領域３ａにおける普通図柄作動ゲート３２、入賞口２５，２６及び始動チャッカー２７等の周囲には、遊技球ステージＳから零れた遊技球や、発射されてから遊技球ステージＳに関与せずに落下してくる遊技球を適宜散らし、或いは入球に導くようにするための障害釘３３を含む多数の障害釘が打ち込まれている。
【００３３】
上記センター飾り２３は、遊技盤３側に固定された画像表示装置３５を露出する開口３６を中央部に、ワープ導入口３７を左上部に、該ワープ導入口３７に連通する放出口４を左下部に、遊技球ステージＳを開口３６の下側に、球放出口４９を該ステージＳの中央下部にそれぞれ有している。また、ワープ導入口３７の対向位置には、一対の障害釘３９が打ち込まれている。ワープ導入口３７の周囲や上方側にも、遊技球を適宜散らし、或いは入球に導くようにするための多数の障害釘（図示せず）が打ち込まれている。このような本パチンコ機１では、遊技領域３ａに打ち出された遊技球Ｂａを始動チャッカー２７等に、遊技球ステージＳを介して入球させ又は該ステージＳを介さず直接入球させ得るように遊技が進められる。
【００３４】
なお、上記「ワープ導入」という語句は、遊技領域３ａに打ち出された遊技球を、当該遊技領域３ａの比較的下側に位置する不図示の道釘等を経ることなく、始動チャッカー２７の上に導くことを意味する概念である。また、上記「道釘」とは、遊技領域３ａにおいて始動チャッカー２７左右に打ち込まれた複数本の障害釘（図示せず）の列を意味するもので、上方から転動落下してきた遊技球を始動チャッカー２７方向に導く役割を担っている。
【００３５】
ついで、遊技盤３におけるセル発光装置６２ａについて、図２を参照して説明する。図２は、セル発光装置６２ａの構造を分解した状態で遊技盤３の斜め前方から示す斜視図である。
【００３６】
セル発光装置６２ａは、盤面基板５５ｂの前面に接着されるセルシート５５ａと、盤面基板５５ｂの厚さ方向に貫通した貫通孔５０ａと、該貫通孔５０ａに嵌合して配設されるレンズ部材５９と、該レンズ部材５９の背面側で支持される基板５７とから構成される。また、盤面基板５５ｂにセルシート５５ａが接着されることで遊技盤３が構成される。また、上記レンズ部材５９と基板５７とは、発光手段であるフルカラー発光ダイオード５６，・・・，５６（以下ＬＥＤ５６，・・・，５６とする）を支持する支持部材６０を構成する。なお、本実施の形態では、図１に示すような遊技盤３の正面視右上部に位置するものを特にセル発光装置６２ａとして説明し、他の隣り合う貫通孔５０ｂ，〜，５０ｄ（図５参照）に形成されるセル発光装置６２ｂ，〜，６２ｄ（図５参照）の説明については省略する。また、以下では、ＬＥＤ５６，・・・，５６を意味する際にあっても、ＬＥＤ５６とのみ省略して記載することがある。
【００３７】
セルシート５５ａは、キャブロイド（Ｒ）と紙とから形成されたシートであり、光透過性を有しつつ、全体に装飾性を高めるための色付けや絵柄が適宜に印刷され、盤面基板５５ｂの前面に貼付される。なお、本実施の形態では、セルシート５５ａの発光する部分（つまり後述する貫通孔５０ａの開口５１ａに当る部分）は無色透明とするが、光透過性を有した状態を保ったままで着色したり図柄を印刷したりしてよいのは勿論である。また、セルシート５５ａが、打ち出された遊技球による衝撃や磨耗に抗する強度を要する場合には、キャブロイド（Ｒ）材を適宜に厚くして形成するとよい。
【００３８】
貫通孔５０ａは、盤面基板５５ｂ前面に開口５１ａを有し、盤面基板５５ｂ背面に開口５２を有する。これにより、貫通孔５０ａは、盤面基板５５ｂの前面から開口５１ａの各形状にて遊技盤３の厚さ方向に柱状に切削され、遊技盤３の厚さ方向中間部からは１つの大きな孔部となって盤面基板５５ｂ背面の開口５２へと通じる。
【００３９】
レンズ部材５９は、合成樹脂材からなり、図２に示すように、台座をなすような後端部５９ｂの前面に、先端部５９ａが隆起したように形成され、少なくとも該先端部５９ａは光透過性を有するように形成されている。そして、レンズ部材５９は、後端部５９ｂの後部に平板状のブラケット部５９ｃがそれぞれ突き出すように形成され、該ブラケット部５９ｃに設けられたネジ穴を通して遊技盤３にネジ止めされる。
【００４０】
基板５７は、複数のＬＥＤ５６が盤面基板５５ｂ前面の開口５１ａの各形状に沿った配置で実装され、該複数のＬＥＤ５６に通電するための不図示のハーネスを有した状態でレンズ部材５９の後部にネジ止め固定される。
【００４１】
ところで、上述した基板５７とレンズ部材５９とからなる支持部材６０が貫通孔５０ａに配設されると、レンズ部材５９が貫通孔５０ａと略々同形状に形成されていることから、貫通孔５０ａを形作る遊技盤３の内側面に接した状態に配設され、貫通孔５０ａを内方から支持するものとなる。これにより、遊技盤３に比較的重さの重い役物等が配設されたり、遊技盤３に外力が加えられたりして応力が加わった際に、貫通孔５０ａが変形することを抑制するものとなっている。
【００４２】
前述したような構成を有するセル発光装置６２は、通常の遊技状態にあっては、ＬＥＤ５６が常時青色に発光するように不図示の制御装置により制御され、遊技盤３における遊技領域３ａを安定して発光装飾する。そして、遊技中においてパチンコ機１の不図示の抽選手段によって大当りが決定されると、セル発光装置６２は、画像表示装置３５での抽選結果の表示に連係するように、例えば発光時の色が上記した青色から赤色等に変化したり点滅発光したりするような特別な発光演出を行う。このように、セル発光装置６２が、画像表示装置３５における大当たりの結果表示と連係してその発光態様を変化させると、該大当たり当選したことを強いインパクトをもって遊技者に実感させ得るとともに、一層大きな高揚感を提供し得るものとなる。
【００４３】
次いで、本発明の特徴となる遊技盤３の製造処理の流れについて、遊技盤３の構成とともに図３ないし図７を参照して説明する。図３は盤面基板５５ｂとセルシート５５ａとを分けた状態で示す概略斜視図、図４はルーター加工が終了した段階の遊技盤３を斜め上方から示す概略斜視図、図５はセル発光装置を組み付けた状態の遊技盤３を斜め後ろ上方から示す概略斜視図、図６は図３の盤面基板５５ｂをＡ−Ａ線に沿って断面した状態で示す側面断面図、図７は本実施の形態における遊技盤３の製造処理の流れを説明するためのフローチャートである。
【００４４】
すなわち、本実施の形態におけるパチンコ機１にあっては、セル発光装置６２ａ，〜，６２ｄによりセルシート５５ａを通して遊技盤３前面側に光を発する発光装飾が行われる。このような、セル発光装置６２ａ，〜，６２ｄを実現するためには、盤面基板５５ｂに貫通孔５０ａ，〜，５０ｄを形成し、その前面にセルシート５５ａを接着した構造となるように遊技盤３を製造する必要が生じる。そこで、該遊技盤３は、以下のような製造工程を経て形成されるものとなる。
【００４５】
まず、無加工状態の板部材である盤面基板が製造ラインに供給され、該盤面基板に対し、遊技盤３の後面側に配置されるＬＥＤ５６からの光を遊技盤３の前面側へと導くための貫通孔５０ａ，〜，５０ｄを穿孔する工程が施される（ステップＳ１）。これにより、上記した盤面基板は、図３に示す盤面基板５５ｂの状態となる。
【００４６】
ステップＳ１にて貫通孔５０ａ，〜，５０ｄが穿孔された盤面基板５５ｂには、ＱＲコードシール（Ｒ）であるシール６１（図３参照）が、次のステップＳ２に先立って貼付される。このシール６１には、パチンコ機１の型式、管理番号、及び加工情報等が二次元コードにて記されており、盤面基板５５ｂの非加工領域である前面５５ｂ´の右下部に貼付される。
【００４７】
ところで、盤面基板５５ｂの前面５５ｂ´の右下部で、このシール６１を貼付する位置には、シール６１の厚さ分の深さを有した凹部６５が形成されている。従って、該シール６１は、この凹部６５内に内包されるように貼付され、シール６１の前面６１´が盤面基板５５ｂの前面５５ｂ´と面一となるように配置される。
【００４８】
次いで、担当のオペレータにより、盤面基板５５ｂの前面に設けられたシール６１の情報がスキャナにて読み取られて確認されると、盤面基板５５ｂの前面５５ｂ´に、例えば図３の矢印Ｘの向きからセルシート５５ａを貼付する工程が施される（ステップＳ２）。該セルシート５５ａは、盤面基板５５ｂの前面が糊付けされて貼付される。なお、セルシート５５ａは文字や図柄等が適宜に印刷されているが、図３ではその前面を空白とし、図示を省略している。
【００４９】
上記ステップＳ２にて盤面基板５５ｂに貼付されたセルシート５５ａには、ＱＲコードシール（Ｒ）であるシール６２（図３参照）が貼付されている。該シール６２には、シール６１と同様、パチンコ機１の型式の情報等が二次元コードにて記されており、盤面基板５５ｂの右下部におけるセルシート５５ａ上に、ステップＳ２に先立って予め貼付されている。
【００５０】
次いで、担当のオペレータにより、セルシート５５ａに貼付されたシール６２の情報がスキャナにて読み取られて確認されると、セルシート５５ａが貼付された盤面基板５５ｂに対し、始動チャッカー２７やアタッカー５等の役物を配設する貫通孔や凹部等をルーター加工にて形成する工程が施される（ステップＳ３）。該ステップＳ３にてルーター加工が施されると、遊技盤３には、図３及び図４に示すような、アタッカー５に係る貫通孔５ａ、入賞口２５，２６に係る貫通孔２５ａ，２６ａ、始動チャッカー２７に係る貫通孔２７ａ、普通図柄作動ゲート３２に係る貫通孔３２ａ、画像表示装置３５に係る貫通孔３６ａ等が形成され、また、その四隅及び下部には該遊技盤３の組み付けに係る切り欠き６３等が形成される。
【００５１】
なお、上述した本実施の形態では、シール６１，６２はＱＲコードシール（Ｒ）であるとして説明したが、バーコードシールやカラーコード等であってもよく、情報を集約し適時に該情報を読み取りし得る媒体であれば特に限定されるものではない。
【００５２】
以上説明した本実施の形態におけるパチンコ機１では、盤面基板５５ｂに貫通孔５０ａ等を形成する工程（ステップＳ１）と、盤面基板５５ｂにセルシート５５ａを貼付する工程（ステップＳ２）と、盤面基板５５ｂにセルシート５５ａを接着した遊技盤３に所定のルーター加工を施す工程（ステップＳ３）と、を備える。そして、ステップＳ２及びステップＳ３の各工程の実施時に必要となる情報を記したシール６１，６２を盤面基板５５ｂ及びセルシート５５ａにそれぞれ、各工程に先立って予め設けておき、ステップＳ２及びステップＳ３の各工程の実施時に、該ステップＳ２及びステップＳ３の各工程に要する情報をそれぞれ読み取り可能とする。これにより、従来の製造方法では為しえなかった、盤面基板５５ｂに貫通孔５０ａ等を穿孔し、該貫通孔５０ａ等をセルシート５５ａで覆うような構造の遊技盤３を容易に形成することができるようになる。
【００５３】
また、盤面基板５５ｂに対し、ステップＳ２の工程に先立って、該工程に要する情報を記したシール６１を予め貼付しておくので、ステップＳ２の工程で要する情報をその実施時に盤面基板５５ｂから読み取ることができるようになる。また、セルシート５５ａに対し、ステップＳ３の工程に先立って、該工程に要する情報を記したシール６２を予め貼付しておくので、盤面基板５５ｂに設けられたシール６１が遮蔽されても、ステップＳ３の工程で要する情報がその実施時にセルシート５５ａから読み取ることができるようになる。そして、以上のことから、ステップＳ２及びステップＳ３の各工程で要する情報が、それぞれの工程の実施時にそれぞれ読み取り可能となり、遊技盤３の製造を滞りなく実施することができるようになる。
【００５４】
また、貫通孔５０ａ，〜，５０ｄが、盤面基板５５ｂの後面側に配置されるＬＥＤ５６からの光を前面側に通過させてなるので、貫通孔５０ａ，〜，５０ｄの内部に配置したＬＥＤ５６からの光をセルシート５５ａまで導き、光透過性を有した該セルシート５５ａから遊技盤３前面に向けて光を発するような発光装飾をすることができるようになる。
【００５５】
また、シール６１，６２が、その前面に情報が二次元コードで印刷されたシート状のシール（例えばＱＲコードシール）であるので、シールという比較的小さなスペースに二次元コードによる多くの情報量をもたせることができる。これにより、遊技盤３周囲の空間を節約しつつ、遊技盤３の製造作業を効率化することができる。
【００５６】
また、盤面基板５５ｂが、その前面５５ｂ´に、シール６１の前面６１´と該盤面基板５５ｂの前面５５ｂ´とが面一になるように貼付し得る凹部６５を有してなる。これにより、盤面基板５５ｂ上にセルシート５５ａを接着した際にあっても、盤面基板５５ｂに貼付したシール６１の厚みでセルシート５５ａが盛り上がることを防ぎ、遊技盤３表面を平らで滑らかに形成することができる。仮に、シールにより生じたセルシートの盛り上がりが、遊技球を流下させる遊技領域内に位置した場合には、遊技領域に打ち出された遊技球の流下態様が微妙に変化するという不都合が生じるものとなる。
【００５７】
また、シール６１，６２が、ステップＳ２及びステップＳ３の各工程の実施時に、該ステップＳ２及びステップＳ３の各工程を施すそれぞれの製造機械にて読み取りし得る情報が記されてなるので、上記各工程にて容易かつ確実に製造機械を作動させることができるようになる。
【００５８】
また、シール６１，６２が、ステップＳ２及びステップＳ３の各工程の各実施時に、それぞれのオペレータが読み取り得る情報が記されてなるので、オペレータが容易かつ確実に上記各工程に係る必要な情報を認識することができるものとなる。
【図面の簡単な説明】
【００５９】
【図１】本発明に係る実施の形態におけるパチンコ機の外部構造を示す正面図である。
【図２】セル発光装置の構造を分解した状態で遊技盤の斜め前方から示す斜視図である。
【図３】盤面基板とセルシートとを分けた状態で示す概略斜視図である。
【図４】ルーター加工が終了した段階の遊技盤を斜め上方から示す概略斜視図である。
【図５】セル発光装置を組み付けた状態の遊技盤を斜め後ろ上方から示す概略斜視図である。
【図６】図３の盤面基板をＡ−Ａ線に沿って断面した状態で示す側面断面図である。
【図７】本実施の形態における遊技盤の製造処理の流れを説明するためのフローチャートである。
【符号の説明】
【００６０】
１    弾球遊技機（パチンコ機）
３    遊技盤
５０ａ，５０ｂ，５０ｃ，５０ｄ    貫通孔
５５ａ    セルシート
５５ｂ    盤面基板
５５ｂ´  前面
５６    発光手段（フルカラー発光ダイオード、ＬＥＤ）
６１    記録媒体（シール）、シール
６１´    前面
６２    記録媒体（シール）、シール
６５    凹部
Ｓ１    第１工程
Ｓ２    第２工程
Ｓ３    第３工程
【図１】
2008220877.tif 000003
【図２】
2008220877.tif 000004
【図３】
2008220877.tif 000005
【図４】
2008220877.tif 000006
【図５】
2008220877.tif 000007
【図６】
2008220877.tif 000008
【図７】
2008220877.tif 000009